(57)【特許請求の範囲】
【請求項１】
下階と上階をつなぐ階段のうち、下階中間高さ以下に設置された階段部分の上方でかつ上階床高さと上階天井高さの間に上階中間床を設置するとともに、該上階中間床の上方に拡がるロフト空間を該ロフト空間に隣接する上階居室の居室空間に連通させた住宅の室内構造であって、所定の納戸を前記上階居室の反対側で前記ロフト空間に隣接するように配置するとともに、前記納戸内に所定の仕切り手段を設けて該納戸の内部空間を前記ロフト空間に連通するロフト連通空間と前記上階居室の反対側に拡がる上階空間に連通する上階連通空間とに分割したことを特徴とする住宅の室内構造。
【請求項２】
前記仕切り手段を前記上階中間床と同一高さ近傍に水平設置された所定の仕切り板で構成し、該仕切り板の上方空間を前記ロフト連通空間、下方空間を前記上階連通空間とした請求項１記載の住宅の室内構造。
【請求項３】
前記ロフト連通空間を前記上階居室の反対側に拡がる上階空間に連通させた請求項２記載の住宅の室内構造。
【発明の詳細な説明】
【０００１】
【発明の属する技術分野】
本発明は、階段室を有する住宅の室内構造に関する。
【０００２】
【従来の技術】
住宅内には、主寝室、子供部屋、書斎、リビングといった居室が配置されるとともに、二階建て以上の戸建て住宅やメゾネット形式の集合住宅では、これらの居室に階段室が加わることとなる。
【０００３】
ここで、規模が大きな住宅ではともかく、敷地等の関係上、延床面積を大きくとれない小型住宅では、上述した各居室と階段室とをどのように配置するかが空間設計を行うにあたって重要な事項となる。
【０００４】
【発明が解決しようとする課題】
しかしながら、上下階を結ぶ通路である階段室については、その機能上、最低限確保すべき占有面積というものが自ずと存在し、住宅規模が小さければ小さいほど、延床面積に対する階段室の占有割合が大きくなり、その分、子供部屋等の居室面積を減らざるを得ず、その結果、居住性の低下を余儀なくされるという問題を生じていた。
【０００５】
本発明は、上述した事情を考慮してなされたもので、小型住宅においても階段室の機能を低下させることなく、十分な居室面積を確保可能な住宅の室内構造を提供することを目的とする。
【０００６】
【課題を解決するための手段】
上記目的を達成するため、本発明に係る住宅の室内構造は請求項１に記載したように、下階と上階をつなぐ階段のうち、下階中間高さ以下に設置された階段部分の上方でかつ上階床高さと上階天井高さの間に上階中間床を設置するとともに、該上階中間床の上方に拡がるロフト空間を該ロフト空間に隣接する上階居室の居室空間に連通させた住宅の室内構造であって、所定の納戸を前記上階居室の反対側で前記ロフト空間に隣接するように配置するとともに、前記納戸内に所定の仕切り手段を設けて該納戸の内部空間を前記ロフト空間に連通するロフト連通空間と前記上階居室の反対側に拡がる上階空間に連通する上階連通空間とに分割したものである。
【０００８】
また、本発明に係る住宅の室内構造は、前記仕切り手段を前記上階中間床と同一高さ近傍に水平設置された所定の仕切り板で構成し、該仕切り板の上方空間を前記ロフト連通空間、下方空間を前記上階連通空間としたものである。
【０００９】
また、本発明に係る住宅の室内構造は、前記ロフト連通空間を前記上階居室の反対側に拡がる上階空間に連通させたものである。
【００１０】
本発明に係る住宅の室内構造においては、下階と上階をつなぐ階段のうち、下階中間高さ以下に設置された階段部分の上方でかつ上階床高さと上階天井高さの間に上階中間床を設置し、該上階中間床の上方に拡がるロフト空間を該ロフト空間に隣接する上階居室の居室空間に連通させる。
【００１１】
このようにすると、従来、吹き抜け空間にすぎなかった階段室上方空間がロフト空間として上階居室の居室空間に一体化されることとなり、空間の有効利用が可能となるとともに、その結果、小型住宅においても階段室の機能を低下させることなく、所定の居室面積を確保することが可能となる。
【００１２】
上階及び下階は、文字通り、上下の位置関係にある場合をすべて含むものであって二階と一階の関係に限定されるものではなく、一階と地階、三階と二階等にも適用される。
【００１３】
また、住宅とは戸建て住宅のみならず、マンション等の集合住宅をも含む。
【００１４】
下階中間高さ以下とは、必ずしも下階高を二等分する高さ位置以下を指すものではなく、要するに上階中間床を設置しても、かがむことなく昇降が可能な階段部分を意味するものであり、例えば、踊り場よりも下方の階段部分がこれに該当する。
【００１５】
ここで、所定の納戸を前記上階居室の反対側で前記ロフト空間に隣接するように配置するとともに、前記納戸内に所定の仕切り手段を設けて該納戸の内部空間を前記ロフト空間に連通するロフト連通空間と前記上階居室の反対側に拡がる上階空間に連通する上階連通空間とに分割したならば、納戸を、上階居室の反対側に拡がる上階空間、例えば上階の廊下から利用することができるのみならず、ロフト空間ひいては上階居室からも利用することが可能となる。
【００１６】
そして、さらに前記仕切り手段を前記上階中間床と同一高さ近傍に水平設置された所定の仕切り板で構成し、該仕切り板の上方空間を前記ロフト連通空間、下方空間を前記上階連通空間としたならば、納戸の下段が例えば上階廊下から利用できる空間、納戸の上段がロフト空間を介して上階居室から利用できる空間となり、納戸がより利用しやすくなる。
【００１７】
同一高さ近傍とは、厳密に同一高さでなければならないという意味ではなく、要は、上方空間がロフト連通空間、下方空間が上階連通空間となるように仕切り板を水平設置すれば足りるものであり、上階中間床と仕切板との高さが多少ずれてもかまわない。
【００１８】
ここで、前記ロフト連通空間を前記上階居室の反対側に拡がる上階空間に連通させたならば、ロフト連通空間をロフト空間を介して上階居室側から利用することができるのみならず、例えば上階廊下からも利用することができるようになり、収納の利便性がさらに向上する。
【００１９】
【発明の実施の形態】
以下、本発明に係る住宅の室内構造の実施の形態について、添付図面を参照して説明する。なお、従来技術と実質的に同一の部品等については同一の符号を付してその説明を省略する。
【００２０】
（第１実施形態）
【００２１】
図１乃至図３は、第１実施形態に係る住宅の室内構造を示した図であり、図１は断面透視図、図２は平面図、図３は鉛直断面図である。これらの図でわかるように、本実施形態に係る住宅の室内構造は、下階１と上階２を結ぶ計１５段の階段３のうち、下階中間高さ以下に設置された階段部分、本実施形態では踊り場４になっている７段目以下の階段部分の上方でかつ上階床高さと上階天井高さの間に上階中間床５を設置するとともに、該上階中間床の上方に拡がるロフト空間６を該ロフト空間に隣接する上階居室８の居室空間７に連通させてある。
【００２２】
上階中間床５は、上階床高さと上階天井高さの間の所望高さに設置すればよいが、階段３の昇降に差し支えることがないよう、特に踊り場４で十分な高さが確保されるよう留意する。
【００２３】
なお、踊り場９になっている８段目の階段部分の上方には、上階中間床５よりも階段３の一段分高く設置された収納床１３を設けるとともに該収納床の上方に形成された収納空間１０をロフト空間６に連通させてあり、上階居室８の収納スペースとして利用することができるようになっている。
【００２４】
ここで、上階居室８の床面に立設され上階中間床５の縁部まで延びる壁１１には梯子１２が掛けてあり、該梯子を用いてロフト空間６に昇降できるようになっている。
【００２５】
このようなロフト空間６や収納空間１０は任意の用途に供すればよいが、上階居室８を子供部屋とする場合には、ロフト空間６をベッドスペースや遊びスペース、収納空間１０を寝具置きなどに利用することができる。
【００２６】
本実施形態に係る住宅の室内構造においては、下階１と上階２をつなぐ階段３のうち、踊り場４より下の階段部分の上方でかつ上階床高さと上階天井高さの間に上階中間床５を設置し、該上階中間床の上方に拡がるロフト空間６を該ロフト空間に隣接する上階居室８の居室空間７に連通させてある。
【００２７】
そのため、従来、吹き抜け空間にすぎなかった階段室上方空間がロフト空間６として上階居室８の居室空間７に一体化されることとなる。
【００２８】
以上説明したように、本実施形態に係る住宅の室内構造によれば、階段室上方の空間をロフト空間６として上階居室８の一部に一体化させたので、上階中間床５の分だけ、上階の居室面積が拡がることとなり、かくして小型住宅においても階段室の機能を低下させることなく、所定の居室面積を確保することが可能となる。
【００２９】
（第２実施形態）
【００３０】
図４は、第２実施形態に係る住宅の室内構造を示した平面図及び鉛直断面図である。これらの図でわかるように、本実施形態に係る住宅の室内構造は、下階１と上階２を結ぶ計１５段の階段２３のうち、下階中間高さ以下に設置された階段部分、本実施形態では踊り場２４になっている７段目以下の階段部分の上方でかつ上階床高さと上階天井高さの間に上階中間床２５を設置するとともに、該上階中間床の上方に拡がるロフト空間２６を該ロフト空間に隣接する上階居室２８の居室空間２７に連通させてある。
【００３１】
ここで、上階中間床２５も上階中間床５と同様、階段２３の昇降に差し支えることがないよう、特に踊り場２４で十分な高さが確保されるよう留意する。
【００３２】
また、上階居室２８の床面に立設され上階中間床２５の縁部まで延びる壁３１には梯子３２が掛けてあり、該梯子を用いてロフト空間２６に昇降できるようになっている。
【００３３】
なお、本実施形態に係る住宅の室内構造においても、第１実施形態と同一の作用効果を奏するが、ここではその説明を省略する。
【００３４】
（第３実施形態）
【００３５】
図５は、第３実施形態に係る住宅の室内構造を示した平面図及び鉛直断面図である。これらの図でわかるように、本実施形態に係る住宅の室内構造は、下階１と上階２を結ぶ計１５段の階段４３のうち、下階中間高さ以下に設置された階段部分、本実施形態では踊り場４４になっている５段目以下の階段部分の上方でかつ上階床高さと上階天井高さの間に上階中間床４５を設置するとともに、該上階中間床の上方に拡がるロフト空間４６を該ロフト空間に隣接する上階居室４８の居室空間４７に連通させてある。
【００３６】
ここで、上階中間床４５も上階中間床５と同様、階段４３の昇降に差し支えることがないよう、特に踊り場４４で十分な高さが確保されるよう留意する。
【００３７】
また、上階居室４８の床面に立設され上階中間床４５の縁部まで延びる壁５１には梯子５２が掛けてあり、該梯子を用いてロフト空間４６に昇降できるようになっている。
【００３８】
なお、本実施形態に係る住宅の室内構造においても、第１実施形態と同一の作用効果を奏するが、ここではその説明を省略する。
【００３９】
（第４実施形態）
【００４０】
図６は、第４実施形態に係る住宅の室内構造を示した平面図及び鉛直断面図である。これらの図でわかるように、本実施形態に係る住宅の室内構造は、第２実施形態と同様、下階１と上階２を結ぶ計１５段の階段２３のうち、下階中間高さ以下に設置された階段部分、本実施形態では踊り場２４になっている７段目以下の階段部分の上方でかつ上階床高さと上階天井高さの間に上階中間床２５を設置するとともに、該上階中間床の上方に拡がるロフト空間２６を該ロフト空間に隣接する上階居室２８の居室空間２７に連通させてあるが、本実施形態ではさらに、納戸６１を上階居室２８の反対側でロフト空間２６に隣接するように配置してある。
【００４１】
ここで、納戸６１内には、仕切り手段としての仕切板６２を上階中間床２５と同一高さ位置に水平設置してあり、該納戸の内部空間をロフト空間２６に連通するロフト連通空間６３と上階居室２８の反対側に拡がる上階空間６４に連通する上階連通空間６５とに分割してある。
【００４２】
なお、本実施形態に係る住宅の室内構造においても、第１実施形態と同一の作用効果を奏し、ここではその説明を省略するが、かかる作用効果に加えて、上階に設けた納戸６１の内部を仕切板６２でロフト連通空間６３と上階連通空間６５に分割したことにより、同図矢印に示すように納戸６１を上階空間６４である上階の廊下から利用することができるのみならず、ロフト空間２６ひいては上階居室２８からも利用することが可能となるという作用効果や、仕切板６２を上階中間床２５と同一高さ位置に水平設置したことにより、納戸６１の下段が上階の廊下から利用できる空間、納戸６１の上段がロフト空間２６を介して上階居室２８から利用できる空間となり、納戸６１がより利用しやすくなるという作用効果も奏する。
【００４３】
本実施形態では、仕切板６２を上階中間床２５と同一高さ位置に水平設置するようにしたが、これに代えて仕切板６２を上階中間床２５よりも若干高い位置、例えば数十ｃｍ高い位置に設置するようにしてもよい。
【００４４】
かかる構成によれば、上階中間床２５にベッドや布団を置く場合であっても、ロフト連通空間６３とロフト空間２６とを仕切る壁に設けられた収納扉を開閉する際、上述したベッドや布団が邪魔になって開閉できないといった事態を未然に回避することができる。
【００４５】
また、本実施形態では特に言及しなかったが、図７に示すように、ロフト連通空間６３を上階空間６４である上階の廊下に連通させたならば、該ロフト連通空間をロフト空間２６を介して上階居室２８の側から利用することができるのみならず、上階の廊下からも利用することができるようになり、収納の利便性がさらに向上する。
【００４６】
また、本実施形態では、納戸６１内を仕切る仕切り手段を上階中間床２５と同一高さ位置に水平設置された仕切板６２で構成したが、仕切り手段をどのように構成するかは任意であり、例えばかかる仕切り手段を、図８に示すようにＬ字断面仕切り材７１で構成し、該納戸の内部空間をロフト空間２６に連通するロフト連通空間７３と上階居室２８の反対側に拡がる上階空間６４に連通する上階連通空間７４に分割するようにしてもよい。
【００４７】
【発明の効果】
以上述べたように、本発明に係る住宅の室内構造によれば、階段室上方の空間をロフト空間として上階居室の一部に一体化させたので、上階中間床の分だけ、上階の居室面積が拡がることとなり、かくして小型住宅においても階段室の機能を低下させることなく、十分な居室面積を確保することが可能となる。
【００４８】
【図面の簡単な説明】
【図１】第１実施形態に係る住宅の室内構造を示した断面透視図。
【図２】第１実施形態に係る住宅の室内構造を示した図であり、(a)は一階平面図、(b)は二階平面図。
【図３】第１実施形態に係る住宅の室内構造を示した図であり、(a)はＡ―Ａ線に沿う鉛直断面図、(b)はＢ―Ｂ線に沿う鉛直断面図。
【図４】第２実施形態に係る住宅の室内構造を示した図であり、(a)は階段平面図、(b)は二階平面図、(c)はＣ―Ｃ線に沿う鉛直断面図、(d)はＤ―Ｄ線に沿う鉛直断面図。
【図５】第３実施形態に係る住宅の室内構造を示した図であり、(a)は階段平面図、(b)は二階平面図、(c)はＥ―Ｅ線に沿う鉛直断面図、(d)はＦ―Ｆ線に沿う鉛直断面図。
【図６】第４実施形態に係る住宅の室内構造を示した図であり、(a)は二階平面図、(b)はＧ―Ｇ線に沿う鉛直断面図。
【図７】変形例に係る住宅の室内構造を示した図であり、(a)は二階平面図、(b)はＨ―Ｈ線に沿う鉛直断面図。
【図８】変形例に係る住宅の室内構造を示した図であり、(a)は二階平面図、(b)はＩ―Ｉ線に沿う鉛直断面図。
【符号の説明】
１                          下階
２                          上階
３、２３、４３              階段
５、２５、４５              上階中間床
６、２６、４６              ロフト空間
７、２７、４７              居室空間
８、２８、４８              上階居室
６１                        納戸
６２                        仕切板（仕切り手段）
６３、７３                  ロフト連通空間
６４                        上階空間
６５、７４                  上階連通空間
７１                        Ｌ字断面仕切り材（仕切り手段）
【図１】
0004662512.tif 000002
【図２】
0004662512.tif 000003
【図３】
0004662512.tif 000004
【図４】
0004662512.tif 000005
【図５】
0004662512.tif 000006
【図６】
0004662512.tif 000007
【図７】
0004662512.tif 000008
【図８】
0004662512.tif 000009